(57)【要約】  飲料粉砕物を保持するためのバスケットが、フレームを備える。フレームは、フレームの頂部に開口を画定する連続リムと、閉じられた底部部分と、リムから底部部分の周囲エッジまで延在する複数の離間されたリブとを備える。底部エッジ、複数のリブ、およびリムは、流体流を促進する複数の開口を画定する。フィルタ材料が、複数の開口内に位置決めされる。着脱自在外方スリーブが、フレームの外部表面上に形成される。外方スリーブは、少なくとも複数の開口を覆うことによりフレーム内に気密シールを形成するように構成される。【選択図】図１
2014527880.tif 000002
【特許請求の範囲】
【請求項１】
飲料粉砕物を保持するためのバスケットにおいて、
フレームであって、
前記フレームの頂部に開口を画定する連続リム、
閉じられた底部部分、および
前記リムから前記底部部分の周囲エッジまで延在する複数の離間されたリブであって、前記底部エッジ、前記複数のリブ、および前記リムは、流体流を促進する複数の開口を画定する、複数の離間されたリブ
を備えたフレームと、
前記複数の開口内に位置決めされたフィルタ材料と、
少なくとも前記複数の開口を覆うことにより前記フレーム内に気密シールを設けるように構成された、前記フレームの外部表面上に形成された着脱自在外方スリーブと
を備えた、バスケット。
【請求項２】
前記外方スリーブは、前記フレームの前記外部表面に対して形状嵌めされた、請求項１に記載のバスケット。
【請求項３】
前記フレームの頂部で前記開口を覆って前記フレーム内に前記飲料粉砕物を確保する蓋部材をさらに備えた、請求項１に記載のバスケット。
【請求項４】
前記外方スリーブは、前記蓋部材を少なくとも部分的に覆って形成された、請求項３に記載のバスケット。
【請求項５】
前記外方スリーブは、前記フレームの周囲に巻き付けられ、接着剤で接合された第１の重なりエッジおよび第２の重なりエッジを備えた、請求項１に記載のバスケット。
【請求項６】
前記接着剤は、食品用接着剤である、請求項５に記載のバスケット。
【請求項７】
前記外方スリーブは、前記フレームからの前記外方スリーブの剥離を容易化するタブまたはノッチを画定する、請求項１に記載のバスケット。
【請求項８】
飲料パッケージにおいて、
複数の封止されたポケットを画定するフローラップ材料と、
各封止されたポケット内に位置決めされた飲料粉砕物を貯蔵するための飲料バスケットとを備え、各飲料バスケットは、
フレームを備えたフレームであって、前記フレームは、
前記フレームの頂部に開口を画定する連続リム、
閉じられた底部部分、および
前記リムから前記底部部分の周囲エッジまで延在する複数の離間されたリブであって、前記底部エッジ、前記複数のリブ、および前記リムは、流体流を促進する複数の開口を画定する、複数の離間されたリブ
を備えた、フレーム、
前記複数の開口内に位置決めされたフィルタ材料、および
少なくとも前記複数の開口を覆って前記フレーム内に気密シールを設けるように構成された、前記フレームの外部表面上に形成された着脱自在外方スリーブ
を備えた、飲料パッケージ。
【請求項９】
前記フローラップは、隣接するポケット同士の制御された切離しを容易にするために、前記ポケット同士の間に孔が開けられた、請求項８に記載の飲料パッケージ。
【請求項１０】
前記外方スリーブは、前記フレームの前記外部表面に対して形状嵌めされる、請求項８に記載の飲料パッケージ。
【請求項１１】
前記フレームの頂部で前記開口を覆って前記フレーム内に前記飲料粉砕物を確保する蓋部材をさらに備えた、請求項８に記載の飲料パッケージ。
【請求項１２】
前記外方スリーブは、前記蓋部材を少なくとも部分的に覆って形成された、請求項１１に記載の飲料パッケージ。
【請求項１３】
前記外方スリーブは、前記フレームの周囲に巻き付けられ、接着剤で接合された第１の重なりエッジおよび第２の重なりエッジを備えた、請求項８に記載の飲料パッケージ。
【請求項１４】
前記接着剤は、食品用接着剤である、請求項１３に記載の飲料パッケージ。
【請求項１５】
前記外方スリーブは、前記バスケットからの前記外方スリーブの剥離を容易化するタブを画定する、請求項８に記載の飲料パッケージ。
【請求項１６】
前記外方スリーブは、前記バスケットからの前記外方スリーブの剥離を容易化するノッチを画定する、請求項８に記載の飲料パッケージ。
【請求項１７】
飲料粉砕物を保持するための飲料バスケットを形成するための方法において、
フレームを形成するステップであって、前記フレームは、前記フレームの頂部に開口を画定する連続リムと、閉じられた底部部分と、前記リムから前記底部の周囲エッジまで延在する複数の離間されたリブとを備え、前記底部部分、前記複数のリブ、および前記リムは、流体流を促進する複数の開口を画定する、ステップと、
前記複数の開口内にフィルタ材料を位置決めするステップと、
少なくとも前記複数の開口を覆うことにより前記フレーム内に気密シールを形成するように構成された着脱自在外方スリーブを、前記フレームの外部表面上に形成するステップと
を含む、方法。
【請求項１８】
前記外方スリーブを形成する前記ステップは、
前記フレーム上を摺動するように構成された事前形成されたスリーブを設けるステップと、
前記フレームの内部空間内に不活性ガスを注入することにより、前記内部空間内から周囲空気を除去するステップと、
前記外方スリーブに対して熱を同時に印加することにより、前記フレームの周囲において前記外方スリーブを収縮させるステップと
を含む、請求項１７に記載の方法。
【請求項１９】
前記外方スリーブは、第１の端部および第２の端部を有する周囲巻き付けスリーブであり、前記方法が、
前記第１の端部および前記第２の端部の少なくとも一方の上に接着剤を塗布するステップと、
一方の端部が他方の端部に重なることにより前記両端部が接合するまで、前記バスケットの周囲に前記外方スリーブを巻き付けるステップと、
前記フレームの内部空間内に不活性ガスを注入することにより、前記内部空間内から周囲空気を除去するステップと、
前記外方スリーブに対して熱を同時に印加することにより、前記フレームの周囲で前記外方スリーブを収縮させるステップと
さらに含む、請求項１７に記載の方法。
【請求項２０】
前記接着剤は、食品用接着剤である、請求項１９に記載の方法。
【請求項２１】
前記外方スリーブは、前記フレームからの前記外方スリーブの剥離を容易にするタブまたはノッチを画定する、請求項１７に記載の方法。
【発明の詳細な説明】
【背景技術】
【０００１】
[0001]シングルサーブ式飲料淹出（ｓｉｎｇｌｅ  ｓｅｒｖｅ  ｂｅｖｅｒａｇｅ  ｂｒｅｗｉｎｇ）は、顧客の間で人気が高い。多数の形式のシングルサーブ式淹出器（ｓｉｎｇｌｅ  ｓｅｒｖｅ  ｂｒｅｗｅｒｓ）が、市場に存在する。これらの淹出器は、一杯分のコーヒーまたは茶を迅速に淹出するように設計される。コーヒー粉砕物または茶粉砕物は、調製されたシングルサーブポーションで販売される。
【０００２】
[0002]金属フィルタまたは鋼フィルタを備えるデバイスなどの、シングルサーブ式淹出器用の再利用可能型デバイスは、いくつかの状況では適切でない場合がある。例えば、多忙な家庭において、オフィス環境において、または待合室の環境においてなど、効率が必要とされる場合などである。再利用可能型デバイスは、洗浄を必要とするが、これは、飲料粉砕物がフィルタ開口にこびりつく傾向があることにより困難となる場合がある。さらに、再利用可能型デバイスの洗浄に対応するために、シングルサーブ式淹出器は、水源および流しまたは排水設備の付近に配置されることが必要となる。流しまたは排水設備の設置は、実施不可能な場合がある。
【発明の概要】
【課題を解決するための手段】
【０００３】
[0003]第１の態様においては、飲料粉砕物を保持するためのバスケットが、フレームを備える。フレームは、フレームの頂部に開口を画定する連続リムと、閉じられた底部部分と、リムから底部部分の周囲エッジまで延在する複数の離間されたリブとを備える。底部エッジ、複数のリブ、およびリムは、流体流を促進する複数の開口を画定する。フィルタ材料が、複数の開口内に位置決めされる。着脱自在外方スリーブが、フレームの外部表面上に形成される。外方スリーブは、少なくとも複数の開口を覆うことによりフレーム内に気密シールを形成するように構成される。
【０００４】
[0004]第２の態様においては、飲料パッケージが、複数の封止されたポケットを画定するフローラップ材料と、各封止されたポケット内に位置決めされる飲料粉砕物を貯蔵するための飲料バスケットとを備える。各飲料バスケットは、フレームを備える。フレームは、フレームの頂部に開口を画定する連続リムと、閉じられた底部部分と、リムから底部部分の周囲エッジまで延在する複数の離間されたリブとを備える。底部エッジ、複数のリブ、およびリムは、流体流を促進する複数の開口を画定する。底部エッジ、複数のリブ、およびリムは、流体流を促進する複数の開口を画定する。また、飲料バスケットは、複数の開口内に位置決めされたフィルタ材料を備える。着脱自在外方スリーブが、フレームの外部表面上に形成されて、少なくとも複数の開口を覆うことによりフレーム内に気密シールを形成するように構成される。
【０００５】
[0005]第３の態様においては、飲料粉砕物を保持するための飲料バスケットを形成するための方法が、フレームを形成するステップであって、フレームが、フレームの頂部に開口を画定する連続リムと、閉じられた底部部分と、リムから底部の周囲エッジまで延在する複数の離間されたリブとを備える、ステップを含む。底部部分、複数のリブ、およびリムは、流体流を促進する複数の開口を画定する。フィルタ材料が、複数の開口内に位置決めされる。着脱自在外方スリーブが、フレームの外部表面上に形成され、少なくとも複数の開口を覆うことによりフレーム内に気密シールを形成するように構成される。
【０００６】
[0006]以下の図面および詳細な説明を精査することにより、本発明の他のシステム、方法、特徴、および利点が当業者には明らかになろう。全てのかかるさらなるシステム、方法、特徴、および利点が、本説明に含まれ、本発明の範囲に含まれ、以下の特許請求の範囲により保護されるように意図される。
【図面の簡単な説明】
【０００７】
【図１】[0007]包装を伴う使い捨て型飲料ポーションバスケットを示す図である。
【図２】[0008]使い捨て型飲料ポーションバスケットおよび蓋を示す図である。
【図３】[0009]例示的な寸法を有する使い捨て型飲料ポーションバスケットを示す図である。
【図４】[0010]使い捨て型飲料ポーションバスケットの使用を示す図である。
【図５】[0011]使い捨て型飲料ポーションバスケットの例示的な蓋を示す図である。
【図６】[0012]複数の使い捨て型飲料ポーションバスケットの例示的なパッケージを示す図である。
【図７】[0013]図７Ａはバスケットへと成形されるように構成された例示的なフィルタ媒体側部部分を示す図である。[0014]図７Ｂはスケットのフレームの底部表面に対して成形されるように構成された、必要に応じて使用される例示的なフィルタ媒体底部部分を示す図である。[0015]図７Ｃはバスケットに対して成形された例示的なフィルタ側部部分およびフィルタ底部部分を示す図である。
【図８】[0016]図８Ａは例示的な蓋の上におけるロゴの配置を示す図である。[0017]図８Ｂはバスケットのロゴの配置を示す図である。[0018]図８Ｃはバスケットの下側のロゴの配置を示す図である。
【図９】[0019]図９Ａは底部部分上に溝を画成した使い捨て型飲料ポーションバスケットを示す図である。[0020]図９Ｂは底部部分上に溝およびくぼみを画成した使い捨て型飲料バスケットを示す図である。
【図１０】[0021]図１０Ａは図９Ａの飲料バスケットとの関連において使用される環状リングを有する例示的なカートリッジを示す図である。[0022]図１０Ｂは図９Ｂの飲料バスケットとの関連において使用されるボタンを有する例示的なカートリッジを示す図である。
【図１１】[0023]図１１Ａは外方に延在する突起群を有する使い捨て型飲料バスケットを示す図である。[0024]図１１Ｂは内方に延在する突起群を有する使い捨て型飲料バスケットを示す図である。
【図１２】[0025]図１２Ａは外方に延在する突起を備える使い捨て型飲料バスケットの積み重ねを示す図である。[0026]図１２Ｂは内方に延在する突起を備える使い捨て型飲料ポーションバスケットの積み重ねを示す図である。
【図１３】[0027]図１３Ａはさらに別の飲料バスケットの実施形態の斜視図である。図１３Ｂはさらに別の飲料バスケットの実施形態の側面図である。図１３Ｃはさらに別の飲料バスケットの実施形態の上面図である。
【図１４】[0028]図１４Ａは図１３Ａ〜図１３Ｃの飲料バスケットを覆うための第１の蓋実施形態を示す図である。図１４Ｂは図１３Ａ〜図１３Ｃの飲料バスケットを覆うための第１の蓋実施形態を示す図である。
【図１５】[0029]図１５Ａは図１３Ａ〜図１３Ｃの飲料バスケットを覆うための第２の蓋実施形態を示す図である。図１５Ｂは図１３Ａ〜図１３Ｃの飲料バスケットを覆うための第２の蓋実施形態を示す図である。
【図１６】[0030]図１６Ａは図１６Ｂの蓋と共にツイストロックされるバスケットを示す図である。図１６Ｂは図１６Ａのバスケットと共にツイストロックされる蓋を示す図である。
【図１７】[0031]一体的に形成されたバスケットおよび蓋を示す図である。
【図１８】[0032]図１８Ａは例示的な蓋の下方表面上に位置決めされた液体配給フィンを示す図である。図１８Ｂは例示的な蓋の下方表面上に位置決めされた液体配給フィンを示す図である。
【図１９】[0033]図１９Ａは飲料バスケットを覆う第１の例示的なスリーブ実施形態の適用を示す図である。[0034]図１９Ｂは飲料バスケットを覆う第２の例示的なスリーブ実施形態の適用を示す図である。 [0035]図１９Ｃは封止された飲料バスケット実施形態を示す図である。
【図２０】[0036]図２０Ａは外方スリーブを取り除くためのタブを備える、封止された飲料バスケット実施形態を示す図である。[0037]図２０Ｂは外方スリーブを取り除くためのノッチを備える、封止された飲料バスケット実施形態を示す図である。
【図２１】[0038]図２１Ａは飲料パケットを示す図である。[0039]図２１Ｂは一続きの飲料パケットを示す図である。
【発明を実施するための形態】
【０００８】
[0040]シングルサーブ式飲料淹出は、それにより実現される便利さおよび自由度により、顧客の間で人気が高い。多数のシングルサーブ式飲料淹出器が、市場に進出している。従来型の淹出器は、典型的には、一度に４杯〜１２杯の飲料を生成する。飲料は、消費され尽くすまで、ホットプレート上に置かれる。時間が経過するにつれて、飲料の風味は低下し得る。シングルサーブ式淹出器は、消費者が、コーヒーおよび茶などの飲料を効率的な様式でおよび飲料の風味特性の低下を伴うことなく享受することを可能にする。
【０００９】
[0041]図１においては、シングルサーブ式淹出器において使用するためのコーヒー粉砕物または茶粉砕物が、使い捨て型シングルユース飲料パッケージ１００内に包装され得る。使い捨て型シングルユース飲料パッケージ１００は、透過性バスケットであってもよいバスケット１１０と、使い捨て型不透過性バリアであってもよいバリア１１２とを備えてもよい。
【００１０】
[0042]バリア１１２は、第１の側部１１４および第２の側部１１６を有し得る。第１の側部１１４は、刻み線、タブ、ジップ、埋込みストリングを備えても、またはユーザがバリア１１２を開くのを支援するための手段を形成してもよい。バリア１１２は、第２の側部１１６または他の側部において、ガゼット加工、ピンチ加工、熱封止、ステープル加工、または他の方法によって封止されてもよい。代替的にはまたは追加的には、バリア１１２は、中でもシュリンクラップバリアまたはワックスバリアであってもよい。
【００１１】
[0043]バリア１１２は、液体、気体、および固体の通過に対して実質的に抵抗性を有してもよい。例えば、バリア１１２は、水分および酸素がポーチに進入するのを阻止するように、ならびにコーヒーの香りを保持するように、密閉封止されてもよい。追加的にはまたは代替的には、複数のバスケットが、発送時および保管時に鮮度を維持するために、鶏卵用クレートタイプの構成、チューブ、または他の包装において共に事前充填および包装されてもよい。バリア１１２は、中でもフォイルラミネート、金属被覆フィルム、ＥＶＯＨフィルム、ポリオレフィンベース材料、パラフィルム、プラスチック、およびそれらの組合せなどの材料から作製されてもよい。
【００１２】
[0044]ユーザは、バスケット１１０を出すために、例えば第１の側部１１４に沿ってバリア１１２を引き裂くことなどによってパッケージ１００を開いてもよい。ユーザは、バリア１１２からバスケット１１０を取り出し、シングルサーブ式淹出器内にこのバスケット１１０を配置してもよい。バスケット１１０は、粉砕物で事前充填されてもよく、または代替的には、ユーザが、バスケット１１０に粉砕物を加えてもよい。
【００１３】
[0045]バスケット１１０は、閉端部または開端部に可逆的になり得る第１の端部１１８と、閉端部であり得る第２の端部１２０とを備える、単壁透過性バスケットであってもよい。バスケット１１０は、カップ形状バスケットであってもよく、蓋１２２と共に使用されてもよい。また、バスケット１１０は、側壁部１２４およびリム１２６を有してもよい。側壁部１２４は、第２の端部１２０およびリム１２６を連結してもよい。側壁部１２４は、フレーム１２８およびフィルタ媒体１３０を備えてもよい。
【００１４】
[0046]フレーム１２８は、フィルタ媒体１３０に対して構造、安定性、および完全性を与えてもよい。フレーム１２８は、射出成型により、または比較的可撓性のフィルタ媒体の周囲に剛性形状物を製造するのに適した異なるプロセスにより形成されてもよい。フレーム１２８は、ポリスチレン、ポリエチレン、ポリプロピレン、ポリエステル、ポリアミド、もしくはナイロン、または他の合成プラスチックもしくは天然プラスチック、またはそれらの組合せなどの、多数の市販の材料の中の任意の１つから作製されてもよい。フレーム１２８は、ポリラティカシド（ＰＬＡ）、ポリヒドロキシ酪酸（ＰＨＡ）、またはデンプンベースポリマーなどの、バイオベースポリマーなどの他の材料から作製されてもよい。フレーム１２８は、当業者に公知の他の材料から作製されてもよい。
【００１５】
[0047]図２においては、バスケット１１０の側壁部１２４が、フレーム１２８およびフィルタ媒体１３０により画定されてもよい。フィルタ媒体１３０は、例えば第２の端部１２０、リム１２６、および／またはフレーム１２８においてなど、バスケット１１０に対して固定されてもよい。フィルタ媒体１３０は、例えばフレーム１２８に対して使用されるプラスチックの熱接合により、または接着剤により、圧着により、熱封止により、または任意の他の方法により固定されてもよい。フィルタ媒体１３０は、フィルタ媒体インサートの周囲におけるプラスチックフレームのインサート射出成型においてフレーム１２８内に固定されてもよい。例えば、事前に型抜きされたフィルタ媒体のブランクが、事前に型抜きされたブランクの形状の周囲にチャネルを有するマンドレル上に配置されてもよい。溶融プラスチックが、不活性射出成型時にフィルタ媒体１３０のブランク内に流し込まれ、このブランクに結合してもよい。このプラスチックは、例えば冷却時に、フレーム１２８へと固化してもよい。図７Ａ〜図７Ｃを参照すると、代替的な一実施形態においては、フィルタ媒体７００および７０５が、初めに、ほぼ円筒状かつテーパ状の部分７００とオプションの底部円形フィルタ媒体７０５（以降では円形部分７０５と呼ぶ）とに形成さてもよい。次いで、フィルタ媒体７００および７０５が、インサート射出成型のために型の上に配置または挿入されて、第１の媒体７００および７０５がバスケット７１０のフレームにより支持された状態においてバスケット７１０を形成してもよい。バスケット７１０のフレームの下端部７１５は、実質的に開いていてもよく、円形フィルタ部分７０５は、この開部分を覆ってもよい。
【００１６】
[0048]フィルタ媒体１３０は、多孔性材料であってもよく、液体およびいくつかの油に対して透過性であってもよい。フィルタ媒体１３０は、例えば、ポリスチレン、ポリエチレン、ポリプロピレン、ポリ乳酸、セルロース繊維、ポリヒドロキシアルカノエート、熱可塑性デンプン、フィルタペーパ、他の紙材料、ポリマー材料、これらの材料の組合せ、または任意の他の材料などの、不織材料などの多数の材料から形成されてもよい。また、フィルタ媒体１３０は、ポリマーもしくはプラスチックのろ過メッシュ、あるいはポリプロピレン、ナイロン６および高密度ポリエチレン、もしくは当業者に公知の他の材料などの様々なプラスチック材料から作製された微多孔フィルムまたは有孔フィルムから、形成されてもよい。代替的には、フィルタ媒体１３０は、ポリ乳酸（ＰＬＡ）、ポリヒドロキシ酪酸（ＰＨＡ）、またはデンプンベースポリマーなどの、バイオベースポリマーから形成されてもよい。
【００１７】
[0049]フィルタ媒体１３０の特徴は、挽粒コーヒー、茶粉末もしくは茶葉、または他の淹出製品などの、各製品のろ過ニーズに合致するように選択されてもよい。例えば、フィルタ媒体１３０の坪量、厚さ、ストランド数、メッシュサイズ、流量、および強度が、淹出対象の製品に基づき選択されてもよい。
【００１８】
[0050]フィルタ媒体１３０は、堆肥化可能な、生物分解性の、再生された、および／または再生可能なものであってもよい。フィルタ媒体１３０が、不織材料である場合には、フィルタ媒体１３０は、例えば織成材料または金属フィルタなどよりも高い抵抗を有し得る。不織フィルタ媒体１３０は、例えば織成フィルタまたは金属フィルタなどよりも長期にわたりバスケット内に水を保持し得る。粉砕物を有するバスケット内に水が保持される時間の長さは、結果的に得られる飲料の濃さに、したがって風味特性に影響を及ぼし得る。その理由は、織成材料または金属材料は、それらが有する開口サイズに技術的限界がある場合があるからである。不織材料は、そのような技術的限界を有さない場合がある。したがって、織成材料または金属材料においては、水の経路は壁部を直線状に貫通し得るが、不織材料においては、経路はまっすぐではなく複雑となり得るという相違点が存在し得る。
【００１９】
[0051]バスケット１１０は、蓋１２２を備えてもよい。蓋１２２は、リム２０２およびカバー２００を備えてもよい。カバー２００は、バスケット１１０との間で安定的に取り付けられるように、リム２０２の下方に配設されてもよい。代替的には、カバー２００は、リム２０２を備えなくてもよい。カバー２００は、バスケット内に液体を進入させ得るように穿刺され得る材料から作製されてもよい。例えば、カバー２００は、透過性バスケット１１０のリム１２６に対してまたはリム１２６間にわたって封止されることによりバスケット１１０内に内容物を維持する、フォイル、フィルム、コーティングされたフィルム、または多層ラミネートなどの材料であってもよい。カバー２００は、乾性内容物を乾燥状態に、湿性内容物を湿潤状態に維持することができ、それらの内容物の鮮度を維持することができる。カバー２００は、プラスチック、金属フォイル、フィルタ材料、熱可塑性デンプン、またはそれらのラミネートもしくは複合材料から形成されてもよい。
【００２０】
[0052]バスケット１１０は、市販のシングルサーブ式コーヒー淹出器と共に使用するように寸法設定されてもよい。図３は、例示的なバスケット１１０を示す。バスケット１１０は、開端部３１２の幅および高さ３１６を有し得る。開端部３１２は、例えば約３８〜４２ｍｍであってもよいがそれに限定されない。高さ３１６は、例えば３８〜４２ｍｍであってもよいがそれに限定されない。リム１２６は、例えば３．５〜５．５ｍｍの寸法３１４を有してもよいがそれに限定されない。フレーム１２８は、例えば５ｍｍの寸法３２０と、例えば２ｍｍの寸法３１８とを有してもよいが、それらに限定されない。これらの寸法は、専ら例示的なものであり、限定的なものではない。また、バスケット１１０は、例えば様々なシングルサーブ式飲料マシンにおける使用を可能にする寸法など、他の寸法または形状を有してもよい。
【００２１】
[0053]図４においては、バスケット１１０は、例えばコーヒー粉砕物または茶粉砕物などの、しかしそれらに限定されない、飲料粉砕物４１４で事前充填されてもよい。代替的にはまたは追加的には、バスケット１１０は、使用の直前に飲料粉砕物４１４で充填される。バスケット１１０が、飲料粉砕物４１４で事前充填される場合には、バスケット１１０は、蓋１２２で封止されてもよい。代替的には、透過性バスケット１１０が、飲料粉砕物４１４で事前装填されない場合には、透過性バスケット１１０は、蓋１２２を有さなくてもよく、追加的にまたは代替的に、着脱自在な蓋１２２または他のものを有してもよい。
【００２２】
[0054]使用時に、ユーザは、バリア１１２を開き、バスケット１１０を取り出し、シングルサーブ式飲料マシン内にバスケット１１０を配置してもよい。高温液体４１０が、カバー２００の開口を通してまたは他の方法でバスケット１１０により受けられてもよい。例えば、使用時に、事前装填されたバスケット１１０が、シングルサーブ式飲料マシン用のカートリッジ４００の内部に配置されてもよい。カートリッジ４００は、再利用可能であってもまたは使い捨型でであってもよい。淹出サイクル時に、カバー２００は、バスケット１１０内に高温液体４１０を入れるためにプローブ４１６によって穿孔されてもよい。高温液体は、飲料粉砕物４１４と相互作用することにより、飲料媒体を生成し得る。飲料媒体４１８は、フィルタ媒体１３０を通り流れ、カートリッジ４００中の開口を通り出てもよい。
【００２３】
[0055]第２の例としては、使用時に、未装填透過性バスケット１１０が、シングルサーブ式飲料マシン用のカートリッジ４００の内部に配置されてもよい。カートリッジ４００は、再利用可能であってもまたは使い捨て型であってもよい。飲料粉砕物４１４は、バスケット１１０内に配置されてもよい。カバー２００が、バスケット１１０の内容物を維持するために装着されてもよい。淹出サイクル時に、カバー２００は、バスケット１１０内に高温液体４１０を入れるために、プローブ４１６により穿孔されてもよい。高温液体は、飲料粉砕物４１４と相互作用することにより、飲料媒体を生成し得る。飲料媒体４１４は、フィルタ媒体１３０を通り流れ、カートリッジ４００中の開口を通り出てもよい。代替的には、カバー２００が、必要でなくてもよい。この場合には、高温液体４１０は、バスケット１１０内に直接的に流れる。
【００２４】
[0056]図５は、バスケット１１０用の蓋１２２の一例を示す。蓋１２２のカバー２００は、液体プローブの進入用の開口５００を備えてもよい。開口５００は、プローブの圧力下において容易に破壊され得るカバー２００の材料の脆弱部分であってもよい。
【００２５】
[0057]図６においては、未装填テーパ状バスケット１１０が、効率的な入れ子式の重ね合わせ向けに構成されてもよい。バスケット１１０は、スタックまたはチューブで入れ子式に重ね合わされた状態で販売されてもよく、それらは、プラスチックフィルムのスリーブまたは他のものに包装されてもよい。未装填バスケット１１０により、エンドユーザは、自身のシングルサーブ式淹出器における使用に対して様々な飲料粉砕物４１４を選択することが可能となる。また、エンドユーザは、自身のシングルサーブ式淹出器における使用に対して飲料粉砕物４１４の量を変更することも可能となり得る。
【００２６】
[0058]シングルユース飲料パッケージ１００の構成要素は、環境に優しい製品を作製することを意図して選択されてもよい。例えば、フィルタ媒体１３０は、ポリオレフィン、ポリ乳酸、セルロース、ポリヒドロキシアルカノエート、熱可塑性デンプン、これらの組合せ、または他の材料などの、様々な合成のもしくは生物分解性の、再生されたもしくは再生可能な、または堆肥化可能な材料から作製されてもよい。また、バスケットフレーム１２８材料、カバー２００、およびバリア１１２は、これらの材料、または構造的完全性（例えばフレーム１２８）および不透過性（例えばバリア１１２）の特性を保持する同様の合成材料、生物分解性材料、再生された材料、再生可能材料、もしくは堆肥化可能材料から作製されてもよい。
【００２７】
[0059]これらの実施形態の様々な実施形態を説明したが、特許請求の範囲の範囲内に含まれる多数のさらなる実施形態および実装形態が可能であることが、当業者には自明であろう。例えば、図８Ａ〜図８Ｃを参照すると、様々な構成のロゴ８０５が、蓋１２２の上（図９Ａ）、バスケット１１０の上（図８Ｂ）、またはバスケット１１０の下側に配置されてもよい。また、ロゴ８０５は、フィルタ媒体１３０上に印刷されてもよい。ロゴ８０５により、供給業者は、例えば、製品がコーヒーまたは茶のいずれであるか、およびブレンドのタイプ等々の、バスケット内の製品に関する記述的情報を配置することなどが可能となる。当業者に公知の他の情報もまた印刷されてよい。
【００２８】
[0060]図９Ａ〜図１０Ｂは、使い捨て型飲料バスケットのさらに他の実施形態を示す。図９Ａおよび図９Ｂは、カートリッジまたは淹出器内におけるバスケットの位置決めを制御するように構成された飲料バスケット実施形態を示す。図９Ａを参照すると、飲料バスケット９００（上下が反転されて示される）が、フレーム１２８およびフィルタ材料９０３を備える。フレーム１２８は、リム１２６、底部部分１２０、およびリブ９０６群を備える。リム１２６は、フレーム１２８が直立位置にある場合に、フレーム１２８の上部に対応する開口を画定する。リム１２６は、連続的であってもよく、円形形状、楕円形形状、または異なる形状を有してもよい。底部部分１２０は、フレーム１２８の底部に対応する閉表面である。リブ９０６は、リム１２６から底部部分１２０のエッジまで延在する。リブ９０６、リム１２６、および底部部分１２０は、コーヒー、茶、または異なる飲料などの流体流を促進する開口群を画定する。
【００２９】
[0061]底部部分１２０は、溝９０５および／またはくぼみ９０７を画定する（図９Ｂを参照）。溝９０５は、底部部分１２０のエッジに沿っておよびエッジの内方に連続的に延在してもよい。溝９０５および／またはくぼみ９０７は、カートリッジまたは淹出器の底部の例えば突出針などの相補的特徴部と協働して、カートリッジまたは淹出器内にバスケット９００を正確に位置決めするように構成される。すなわち、溝９０５および／またはくぼみ９０７は、バスケット９００の外方壁部が使用時にカートリッジまたは淹出器の内方壁部に当接することによりバスケット９００を通る流体流を制限することがないように、カートリッジまたは淹出器の相補的特徴部と噛合することによってバスケット９００の位置合わせを制御するように構成される。
【００３０】
[0062]図１０Ａおよび図１０Ｂは、位置合わせ特徴部を有する例示的なカートリッジ１０００および１０１５を示す。同一の位置合わせ特徴部が、カートリッジとは無関係に淹出器に設けられてもよい。図１０Ａを参照すると、この特徴部は、環状リング１００５に相当する。環状リング１００５は、１つまたは複数のブリッジ部材１００７によりカートリッジ内に支持されることによって、環状リング１００５の周囲における流体流を促進し得る。環状リング１００５は、飲料バスケット９００の溝９０５内に嵌るようにサイズ設定されてもよい。淹出器の一実装形態においては、環状リング１００７は、飲料バスケット９００を受けるように構成された淹出器の部分に形成されてもよい。他の実装形態においては、環状リング１００５および１つまたは複数のブリッジ部材１００７は、カートリッジ１０００または淹出器の底部の実質的に付近に嵌るように、およびカートリッジ１０００または淹出器の側壁部同士の間の距離を維持するように構成された、別個の構成要素に相当するものであってもよい。
【００３１】
[0063]図１０Ｂを参照すると、特徴部は、ボタン１０１７に相当する。ボタン１０１７は、上述のくぼみ９０７内に嵌るようにサイズ設定されてもよい。ボタン１０１７は、ボタン１０１７の周囲における流体流を可能にするように、ブリッジ部材１０１９により支持されてもよい。淹出器の一実装形態においては、ボタン１０１７は、飲料バスケット９００を受けるように構成された淹出器の部分に形成されてもよい。他の実装形態においては、ボタン１０１７およびブリッジ部材１０１９は、カートリッジ１０１５または淹出器の底部の実質的に付近に嵌るように、およびカートリッジ１０１５または淹出器の側壁部同士の間の距離を維持するように構成された、別個の構成要素に相当するものであってもよい。
【００３２】
[0064]図１１Ａおよび図１１Ｂは、重ねられるように構成された飲料バスケット実施形態１１００および１１５０を示す。図１１Ａを参照すると、飲料バスケット１１００は、上述のようにフレーム１２８およびフィルタ材料９０３を備える。例えば、フレームは、リム１２６、底部部分１２０、およびリブ９０６群を備える。リム１２６は、フレーム１２８の頂部に対応する開口を画定する。リム１２６は、連続的であってもよく、円形形状、楕円形形状、または異なる形状を有してもよい。底部部分１２０は、フレーム１２８の底部に対応する閉表面である。リブ９０６は、リム１２６から底部部分１２０のエッジまで延在する。リブ９０６、リム１２６、および底部部分１２０は、コーヒー、茶、または異なる飲料などの流体流を促進する開口群を画定する。
【００３３】
[0065]各リブ９０６が、中央領域に位置決めされた突起１１０５および１１１０（図１１Ｂ）を備える。突起１１０５および１１１０は、各バスケット１１００および１１５０が相互内に挿入可能となる量を制限するように構成される。挿入量を制限することにより、バスケット１１００および１１５０の各底部１２０同士の間に空間１２１０（図１２Ｂ）が結果として得られる。空間１２１０は、コーヒー粉砕物、茶粉砕物、または他の粉砕物などの飲料粉砕物の貯蔵を容易にするようにサイズ設定されてもよい。バスケット１１００および１１５０が積み重ねられる。すなわち、リブ９０６に沿った突起１１０５および１２１０の位置は、各バスケット間の所望量の空間１２１０が結果的に得られるように構成されてもよい。したがって、有利には、複数のバスケットが、粉砕物で充填され、次いで空間を残すように積み重ねられ得る。
【００３４】
[0066]いくつかの構成においては、突起１１０５は、バスケットの中央から離れる方向に外方に延在する。（図１１Ａを参照）。図１２Ａを参照すると、この構成においては、上部バスケット１２０５の突起１１０５は、下方バスケット１２０７のリム１２６に当接して静止する。これに関して、対向し合う突起１１０５（すなわちバスケット１１００の対向し合う側部上の突起１１０５）同士の間の距離は、リム１２６の内径とほぼ同等になり得る。
【００３５】
[0067]他の構成においては、突起１１１０は、バスケットの中央に向かって内方に延在する。（図１１Ｂを参照）。図１２Ｂを参照すると、この構成においては、上部バスケット１２０５の底部部分１２０は、下方バスケット１２０７の突起１１１０に当接して静止する。これに関して、対向し合う突起１１１０（すなわちバスケット１１１０の対向し合う側部上の突起１１０５）同士の間の距離は、底部部分１２０の外形とほぼ同等になり得る。
【００３６】
[0068]図１３Ａ〜図１３Ｃは、さらに別の飲料バスケット実施形態１３００の斜視図、側面図、および底面図をそれぞれ示す。飲料バスケット１３００は、カートリッジ４００を必要とすることなく淹出器（図示せず）内に配置されるように構成される。かかる淹出器は、典型的には、類似するが同一ではない形状を有するバスケットを受けるようにサイズ設定された受容部材を備える。突出した膜穿孔針が、受容部材の下方部分に位置決めされ、典型的なプラスチックカップ（例えば平坦かつ閉じた底部表面を有するほぼ円筒形状のカップなど）の下方部分を穿孔することにより、バスケットから出て針を通り次いでカップ内へと進む流体流を促進するように構成される。
【００３７】
[0069]飲料バスケット実施形態１３００は、フレーム１３０５を備える。フレーム１３０５は、リム１３１０、底部部分１３１５、およびリブ１３２０群を備える。リム１３１０は、フレーム１３０５が直立位置にある場合に、フレーム１３０５の頂部に対応する開口を画定する。リム１３１０は、連続的であってもよく、円形形状、楕円形形状、または異なる形状を有してもよい。底部部分１３１５は、フレーム１３０５の底部に対応する閉表面である。リブ１３２０は、リム１３１０から底部部分１３１５のエッジまで延在する。リブ１３２０、リム１３１０、および底部部分１３１５は、コーヒー、茶、または異なる飲料などの流体流を促進する開口群を画定する。また、飲料バスケット実施形態１３００は、明瞭化のために本例においては図示しない、上述のフィルタ材料の中のいずれかなどの、開口を覆うフィルタ材料を備える。
【００３８】
[0070]底部部分１３１５の第１の部分１３２５（図１３Ｃ）は、実質的に平坦である。その一方で、底部部分１３１５の第２の部分１３３０は、完全に囲まれ得るまたは部分的に囲まれ得るくぼみ１３３５を画定する。第１の部分１３２５は、底部部分１３１５の表面積の３／４以上を占めてもよい。第２の部分１３３０は、残りの面積を占めてもよい。くぼみ１３３５は、バスケット１３００が受容部材に挿入された場合に、膜穿孔針がくぼみ１３３５内に嵌り、底部部分１３１５を穿孔しないように、サイズ設定される。例えば、底部表面の第１の部分１３２５の下方表面に対するくぼみ１３３５の深さＤは、例えば約９．８６ｍｍ（約０．３８８インチ）であってもよいがそれに限定されない。くぼみ１３３０の幅は、例えば約７．２９ｍｍ（約０．２８７インチ）であってもよいがそれに限定されず、くぼみ１３３５は、底部部分１３１５の側部エッジの方向にずらされてもよく、その位置は、一部の淹出器実装形態における膜穿孔針の位置に対応する。しかし、くぼみ１３３５は、膜穿孔針が異なる位置に位置決めされる場合には、異なる位置に配置されてもよい。くぼみ１３３５によって占められる空間を限定することにより（すなわち第１の部分によって占められる空間を最大限に広げることにより）、バスケット１３００内におけるコーヒー粉砕物などの粉砕物用のより広い空間が結果的に得られる。また、これにより、より濃いブレンドの生成が促進される。
【００３９】
[0071]図１４Ａ〜図１６Ｂは、飲料バスケット実施形態１３００を覆うための様々な例示的な蓋を示す。各蓋は、フレーム１３０５の頂部に画定された開口を選択的に実質的に封止するように構成される。図１４Ａおよび図１４Ｂは、第１の例示的な蓋１４００を示す。蓋１４００は、中央領域に、液体がバスケット１３００内に流れるための開口１４０２を備える。また、蓋１４００は、フレーム１３０５のリム１３１０の内方表面に対して摩擦嵌めされることにより、蓋１４００と飲料バスケット１３００との間にシールを形成するように構成された環状リング１４０５を備える。これは、環状リング１４０５の外方表面とリム１３１０の内方表面との間のシールである。環状リング１４０５の直径は、蓋１４００とバスケット１３００との間に緊密な嵌着を実現すると共に、蓋１４００の取外しをさらに容易にするようにサイズ設定されてもよい。
【００４０】
[0072]図１５Ａおよび図１５Ｂは、第２の例示的な蓋１５００を示す。蓋１５００は、中央領域に、液体がバスケット１３００内に流れるための開口１５０２を備える。蓋１５００は、リム１３１０の外方エッジの上にスナップ嵌めされるように構成された側壁部１５０５を備える。換言すれば、蓋１５００と飲料バスケット１３００との間のシールは、側壁部１５０５の内方表面とリム１３１０の外方表面との間に形成される。側壁部１５０５の直径は、蓋１５００とバスケット１３００との間に緊密な嵌着を実現すると共に、蓋１５００の取外しをさらに容易にするようにサイズ設定されてもよい。
【００４１】
[0073]図１６Ａおよび図１６Ｂは、別の例示的な飲料バスケット１６００および蓋１６１０を示す。飲料バスケット１６００は、上述の飲料バスケット１３００の特徴部を備える。しかし、リム１６０５は、１つまたは複数の切欠部１６１２を画定する。蓋１６１０は、１つまたは複数の切欠部１６１２と協働することにより飲料バスケット１６００に対する蓋１６１０のツイストロックを助長するように構成された、１つまたは複数のトラック１６１５を備える。これに関して、リム１６０５の厚さは、蓋１６１０と飲料バスケット１６００と間の緊密度が蓋１６１０をさらにひねることにより上昇するように、切欠部１６１２から離れる方向への距離と共に漸増してもよい。
【００４２】
[0074]上記の構成は、変更されてもよい。例えば、図１７に示すように、図１４に示すバスケット１７００および蓋１７０５は、開構成において蓋１７０５がバスケット１７００に装着された状態になるように、一体的に形成されてもよい。この場合には、蓋１７０５は、リム１７１０により画定されたバスケット１７００の頂部開口を閉じるために、バスケット１７００上に折り曲げられ得る。切欠部１７１５が、リム１７１０中に形成されてもよく、これにより、蓋１４００が閉構成にある場合には、蓋１７０５の下側が露出される。切欠部１７１５は、バスケット１７００からの蓋１７０５の取外しを容易にする。
【００４３】
[0075]図１８Ａおよび図１８Ｂに示すように、液体配給フィン１８１０が、蓋１８０５の下側に形成されてもよい。動作時に、蓋の開口に流れ込む液体は、毛管圧により、液体配給フィン１８１０を越えて引き込まれ、次いでバスケット１８００内の粉砕物上に落下する。液体配給フィン１８１０は、フィン１８１０の使用を伴わない場合に比べて、バスケット１８００内のより多量の粉砕物部分に対して液体を配給する。さらに、これは、飲料のより均一な淹出を促進する。フィン１８１０の形状および個数は、例示的なものに過ぎないことが理解される。
【００４４】
[0076]図１９Ａ〜図２０Ｂは、封止された飲料バスケット１９００（図１９Ｃ）と、これを形成するための作業とを示す。封止された飲料バスケット１９００は、窒素（Ｎ２）、二酸化炭素（ＣＯ）、酸素（Ｏ２）、および他の芳香有機揮発物などのガスに対する高いガスバリアとして機能する、アルミニウムフォイル、コーティングされた単層プラスチックフィルム、異なるプラスチックから構成された多層ラミネート、アルミニウムフォイル、金属被覆プラスチック、金属被覆紙、およびコーティングされたフィルムなどのガスバリア材料から作製された外方スリーブ内に包まれた飲料バスケットを備える。外方スリーブは、飲料バスケットに対して形状嵌め（ｆｏｒｍ  ｆｉｔ）され、その結果として保管専有面積がより小さくなる。すなわち、封止された飲料バスケット１９００は、他の実施形態の一部よりも小さな空間を必要とする。
【００４５】
[0077]飲料バスケットは、既述の飲料バスケット実施形態のいずれかに相当するものであってもよい。例えば、飲料バスケットは、図１のバスケット１１０に相当するものであってもよい。この点に関して、バスケット１１０は、上述のようにフレームおよびフィルタ媒体を備える。フレームは、リム、底部部分、およびリブ群を備える。蓋２００が、フレーム１２８内に内容物を確保するためにフレーム１２８の頂部に配置されてもよい。
【００４６】
[0078]図１９Ａは、バスケット１１０の外部表面の周囲に配置され、後にバスケット１１０に対して形状嵌めされることにより、封止された飲料バスケット１９００を提供し得る、外方スリーブ１９０５の第１の例示的な実施形態を示す。外方スリーブ１９０５は、流体が通り流れるバスケット１１０の少なくとも開口を覆うことにより、バスケット１１０内に気密シールを形成するように構成される。この気密シールにより、バスケット１１０内に貯蔵される内容物の鮮度が維持される。
【００４７】
[0079]プリフォーム嵌め込み段階（ｐｒｅ−ｆｏｒｍ  ｆｉｔ  ｓｔａｇｅ）においては、外方スリーブ１９０５の側壁部は、テーパ状であってもよく、その直径は、外方スリーブ１９０５内におけるバスケット１１０の摺動を助長するようにサイズ設定される。外方スリーブ１９０５の頂部エッジに沿った直径は、外方スリーブ１９０５がバスケット１１０のリムを越えて延出するのを防止するようにサイズ設定されてもよい。外方スリーブ１９０５の底部は、開いていてもまたは閉じていてもよい。
【００４８】
[0080]外方スリーブ１９０５内にバスケット１１０が摺動した後に、窒素などの不活性ガスが、周囲空気を追い出すためにバスケット１１０の内部に注入されてもよい。また同時に、熱が、外方スリーブ１９０５に対して印加されることにより、バスケット１１０の周囲において外方スリーブ１９０５を緊密に収縮させて、周囲空気がバスケット１１０に進入するのを防止する気密シールを形成してもよい。
【００４９】
[0081]いくつかの実装形態においては、外方スリーブ１９０５は、バスケット１１０の他の領域を覆うように構成されてもよい。例えば、外方スリーブ１９００は、図１９Ｃに図示されるように、蓋２００の一部分１９２０を覆ってもよい。この場合には、外方スリーブ１９０５の頂部エッジの直径は、プリフォーム嵌め込み段階においてスリーブ１９０５をリムの上方に摺動させ得るようにサイズ設定されてもよい。これにより、スリーブは、形状嵌めプロセス時に、蓋２００の上に折り曲げられ得るようになり、これにより、バスケット１１０のフレームに対して蓋２００がさらに固定され、バスケット１１０内に貯蔵された内容物に関する不正開封検出手段が与えられる。例えば、外方スリーブ１９０５が引き裂かれている場合には、これは、封止された飲料バスケット１９００の内容物に関する不正開封の証拠となり得る。
【００５０】
[0082]図１９Ｂは、バスケット１１０の外部表面の周囲に配置され、後にバスケット１１０に対して形状嵌めされ得る、外方スリーブ１９１０の第２の例示的な実施形態を示す。第１の外方スリーブ実施形態１９０５と同様に、第２の外方スリーブ実施形態１９１０は、流体が通り流れるバスケット１１０の少なくとも開口を覆うことにより、バスケット１１０内に気密シールを形成するように構成される。この気密シールにより、バスケット１１０内に貯蔵される内容物の鮮度が維持される。いくつかの実装形態においては、外方スリーブ１９１０は、蓋２００の一部分１９２０などの飲料バスケット１９００の他の領域を覆うように構成されてもよく、これは、上述の有利な特徴を実現し得る。
【００５１】
[0083]この第２の実施形態においては、外方スリーブ１９１０は、図１９Ｂに示すように、バスケット１１０のフレームの周囲に巻かれるように構成される。この点に関して、外方スリーブ１９１０は、初めに第１のエッジおよび第２のエッジ１９１２が離されており、図１９Ｂの破線１９１５で示すような重なり量を有する。第１のエッジおよび第２のエッジ１９１２は、外方スリーブ１９１０が巻き付けられると、相互に重なる。これらのエッジの接合を助長するために、接着剤が一方のまたは両方のエッジ１９１２に対して塗布されてもよい。この接着剤は、バスケット１１０内に貯蔵された飲料粉砕物を汚染しない、食品用剥離可能感圧接着剤であってもよい。例えば、接着剤は、アクリルベース感圧接着剤であることが可能である。いくつかの実施形態においては、エッジ１９１２は、超音波溶接等々の他の適切な手段により接合されてもよい。
【００５２】
[0084]第２の外方スリーブ実施形態１９１０は、スリーブ材料シートから切断されてもよい。切断前に、図およびラベル等々が、スリーブ材料上に印刷されてもよい。これは、外部表面上に図、ラベル等々を備える封止された飲料バスケット１９００を可能にするため、有利である。また、これらは、例えば飲料バスケット１１０内に貯蔵された内容物、飲料バスケットの製造業者、有効期限、または任意の他の所望の情報の容易な判定を促進する。
【００５３】
[0085]図２０Ａおよび図２０Ｂに示すように、いくつかの実装形態においては、外方スリーブ１９０５、１９１０は、蓋２００を完全に覆うように構成された頂部部分２００５を備える。頂部部分２００５は、外方スリーブ１９０５、１９１０の他の部分と同一の材料から形成されてもよい。例えば、第１の外方スリーブ実施形態１９０５は、頂部部分２００５に対応する閉鎖頂部を有するように構成されてもよく、バスケット１１０の底部ではなく頂部を覆って摺動するように構成（すなわちサイズ設定）されてもよい。代替的には、頂部部分２００５は、上述の接合プロセスのいずれかまたは異なる接合プロセスにより外方スリーブ１９０５、１９１０の残りの部分に対して接合された別個の部分であってもよい。例えば、頂部部分は、接着剤、超音波溶接、または異なる接合プロセスにより接合されてもよい。
【００５４】
[0086]いくつかの実装形態においては、頂部部分２００５は、バスケット１１０からの外方スリーブ１９０５、１９１０の容易な取外しを助長するために、タブ２０００（図２０Ａ）またはノッチ２０１０（図２０Ｂ）を備えてもよい。頂部部分２００５を備えない実装形態においては、飲料バスケットの開口を覆う外方スリーブ部分は、タブ２０００および／またはノッチ２０１０を画定してもよい。
【００５５】
[0087]図２１Ａは、上述のバスケット実施形態のいずれかとの関連において使用され得る例示的な飲料パケット２１００を示す。飲料パケット２１０は、複数の飲料パケット２１００を画定するために使用され得るフローラップ（ｆｌｏｗ  ｗｒａｐ）材料から作製される。各飲料パケット２１００は、上述の封止された飲料バスケット１９００などの封止された飲料バスケットを備えてもよい。フローラップ材料は、初めは、一方の端部が閉じられ、所望の個数の封止された飲料バスケット１９００を包装するのに適した長さを有する、チューブに相当するものであってもよい。
【００５６】
[0088]作業時には、第１の封止された飲料バスケット１９００が、チューブ内に挿入される。次いで、チューブは、封止された飲料バスケット１９００の上方において封止されて、１つの封止された飲料バスケット１９００を保持する第１の飲料パケット２１００を形成する。次いで、第２の封止された飲料バスケット１９００が、チューブの開端部において挿入され、チューブ内に封止されて、第２の飲料パケット２１００を形成する。この作業は、所望の個数の飲料パケット２１００が得られるまで継続する。チューブは、飲料パケット２１００の容易な切離しを促進するために、飲料パケット２１００同士の間に孔が開けられてもよい。飲料パケット２１００のチューブ全体が、配送および保管のためにコンテナ２１０５内に収容されてもよい。
【００５７】
[0089]したがって、特許請求の範囲の範囲内に含まれる多数のさらなる実施形態および実装形態が可能であることが、当業者には明らかとなろう。さらに、既述の実施形態は、本明細書に記載の利点のいずれかを実現する新規の実施形態へと組み合わされてもよい。したがって、既述の実施形態は、特許請求の範囲の理解を補助するために提示されるに過ぎず、特許請求の範囲の範囲を限定するものではない。
【図１】
2014527880.tif 000003
【図２】
2014527880.tif 000004
【図３】
2014527880.tif 000005
【図４】
2014527880.tif 000006
【図５】
2014527880.tif 000007
【図６】
2014527880.tif 000008
【図７Ａ】
2014527880.tif 000009
【図７Ｂ】
2014527880.tif 000010
【図７Ｃ】
2014527880.tif 000011
【図８Ａ】
2014527880.tif 000012
【図８Ｂ】
2014527880.tif 000013
【図８Ｃ】
2014527880.tif 000014
【図９Ａ】
2014527880.tif 000015
【図９Ｂ】
2014527880.tif 000016
【図１０Ａ】
2014527880.tif 000017
【図１０Ｂ】
2014527880.tif 000018
【図１１Ａ】
2014527880.tif 000019
【図１１Ｂ】
2014527880.tif 000020
【図１２Ａ】
2014527880.tif 000021
【図１２Ｂ】
2014527880.tif 000022
【図１３Ａ】
2014527880.tif 000023
【図１３Ｂ】
2014527880.tif 000024
【図１３Ｃ】
2014527880.tif 000025
【図１４Ａ】
2014527880.tif 000026
【図１４Ｂ】
2014527880.tif 000027
【図１５Ａ】
2014527880.tif 000028
【図１５Ｂ】
2014527880.tif 000029
【図１６Ａ】
2014527880.tif 000030
【図１６Ｂ】
2014527880.tif 000031
【図１７】
2014527880.tif 000032
【図１８Ａ】
2014527880.tif 000033
【図１８Ｂ】
2014527880.tif 000034
【図１９Ａ】
2014527880.tif 000035
【図１９Ｂ】
2014527880.tif 000036
【図１９Ｃ】
2014527880.tif 000037
【図２０Ａ】
2014527880.tif 000038
【図２０Ｂ】
2014527880.tif 000039
【図２１Ａ−２１Ｂ】
2014527880.tif 000040
【国際調査報告】
2014527880.tif 000041